(57)【要約】【課題】            分岐管状の管状樹脂成形体を射出成形するにあたり、管の分岐部に生じうるバリの発生を抑制し、高品質な管状樹脂成形体を得る。【解決手段】        主管部１１と分岐管部１２を有する管状樹脂成形体が射出成形法により成形される。主管部１１が、射出成形と加圧流体の圧入を併用する方法、例えば、フローティングコアを利用して成形され、分岐管部１２はコア型４１やスリーブ４２を利用して成形される。主管部１１が形成される際に、コア型の先端面４１ａに隣接して主管部と分岐管部を隔てる樹脂壁４５が形成される。主管部１１が形成された後に、加圧流体の加圧を維持した状態で、コア型４１を後退させて、樹脂壁４５を管状樹脂成形体から切り離す。【選択図】          図６
2018062061.tif 000002
【特許請求の範囲】
【請求項１】
中空管状部を有する管状樹脂成形体を熱可塑性樹脂の射出成形を利用して製造する方法であって、
前記中空管状部は、主管部と、主管部から分岐する分岐管部とを有する分岐管状であり、
前記射出成形は、
一端に加圧流体を注入可能な加圧ポートを備えると共に他端に排出口を有するキャビティを有する金型を準備し、前記キャビティにより管状樹脂成形体の外面形状を規定し、
溶融状態の熱可塑性樹脂を前記キャビティ内に射出して充填した後、
加圧ポートから加圧流体をキャビティ内に圧入して、キャビティ内の樹脂の一部を排出口から排出して主管部を形成するものであり、
さらに、前記金型は、分岐管部の内周面形状を規定するコア型を有しており、
さらに、前記射出成形は、
主管部が形成される際に、前記コア型の先端面に隣接して主管部と分岐管部を隔てる樹脂壁を形成するものであって、
主管部が形成された後に、加圧流体の加圧を維持した状態で、前記コア型を後退させて、前記樹脂壁を管状樹脂成形体から切り離す工程を有する、
管状樹脂成形体の製造方法。
【請求項２】
熱可塑性樹脂の射出に先立って、フローティングコアを加圧ポートに備えさせ、
加圧流体の圧入によりフローティングコアを排出口側に移動させ、フローティングコアの移動により主管部を形成する
請求項１に記載の管状樹脂成形体の製造方法。
【請求項３】
キャビティ内に樹脂が射出される際に、前記コア型の先端面が、前記主管部の外周面と、主管部の半径方向にほぼ同じ位置に配置される
請求項１または請求項２に記載の管状樹脂成形体の製造方法。
【請求項４】
前記コア型は、さらに、前記コア型の外周に配置された筒状のスリーブを有しており、
キャビティ内に樹脂が射出される際に、前記スリーブの先端部が、前記主管部の外周面よりも、主管部の半径方向内側に突出するように配置される
請求項１ないし請求項３のいずれかに記載の管状樹脂成形体の製造方法。
【請求項５】
前記スリーブの先端部は、スリーブの内周側が、スリーブの外周側に比べ、主管部の半径方向内側により突出するよう、テーパ面とされている
請求項４に記載の管状樹脂成形体の製造方法。
【請求項６】
前記スリーブの先端部が前記主管部の外周面よりも、主管部の半径方向内側に突出した状態を維持しながら、前記コア型を後退させて樹脂壁を管状樹脂成形体から切り離す
請求項４に記載の管状樹脂成形体の製造方法。
【発明の詳細な説明】
【技術分野】
【０００１】
本発明は、合成樹脂で一体成形された管状樹脂成形体の製造方法に関する。特に射出成形を利用した分岐管状の管状樹脂成形体の製造方法に関する。
【背景技術】
【０００２】
合成樹脂で一体成形された管状樹脂成形体は、各種配管や、コネクタ部材、管継手等の多彩な用途に使用されている。特に、管状樹脂成形体を、合成樹脂の射出成形を利用して一体成形すれば、管端部のシール構造や取付け部材等を一体に成形することもできて、便利である。
【０００３】
射出成形を利用して管状樹脂成形体を製造する技術は公知である。中空管状部が短い管状樹脂成形体であれば、管の内周面形状を規定するコア型を有する金型を用いて、管状樹脂成形体を射出成形できる。
また、近年では、キャビティ内に一旦射出された樹脂に対し、加圧した気体や液体を樹脂の中央部に導入して中央部の樹脂を排除して、中空管状部を形成する技術も実用化されている。こうした技術は、ガスアシスト射出成形技術（Ｇａｓ−ａｓｓｉｓｔｅｄ Ｉｎｊｅｃｔｉｏｎ Ｔｅｃｈｎｏｌｏｇｙ：ＧＩＴ法）やウォーターアシスト射出成形技術（Ｗａｔｅｒ−ａｓｓｉｓｔｅｄ  Ｉｎｊｅｃｔｉｏｎ Ｔｅｃｈｎｏｌｏｇｙ：ＷＩＴ法）などが知られている。例えば、特許文献１には、ウォーターアシスト射出成形技術により形成された管状樹脂成形体が開示されている。
【０００４】
また、射出成型時に加圧した気体や液体を導入して中空管状部を形成する技術として、いわゆるフローティングコアを利用する技術も知られている。例えば、特許文献２には、キャビティへの溶融樹脂の射出を行った後に、キャビティ内を通過しうる大きさのフローティングコアを、キャビティの加圧ポートから加圧流体によって押して、キャビティに注入された溶融樹脂中を前記排出口まで型キャビティに沿って進行させることにより、中空管状部を形成する射出成形技術が開示されている。当該製造方法によれば、中空部寸法が均一な複雑形状の中空製品を射出成形できることが開示されている。
【０００５】
また、上記フローティングコアを利用する技術を応用して、分岐管状の管状樹脂成形体を製造する方法も知られており、例えば、特許文献３には、分岐管部を形成するスライド軸を主キャビティに向かって前進させて、連通穴を形成して、分岐管を形成する技術が開示されている。当該製造方法によれば、連通穴部分を後加工するのに比べ、簡単かつ安価に連通穴が形成できる。
【先行技術文献】
【特許文献】
【０００６】
【特許文献１】特開２０１５−１３９８７９号公報
【特許文献２】特開平０４−２０８４２５号公報
【特許文献３】特開２０１５−１７４４４１号公報
【発明の概要】
【発明が解決しようとする課題】
【０００７】
しかしながら、特許文献３に開示された方法によっても、スライド軸が主管部の内側に向けて移動することによって貫通穴を設けるため、分岐部分で主管部の内側に突出するようなバリが生じやすい。こうしたバリは主管部の流れを妨げる抵抗となることがあり、あるいは、こうしたバリが残ってしまうと、バリが使用時に剥離して、流体中に混入するおそれがある。
【０００８】
また、フローティングコアを用いた成形法で、特許文献３のようにして分岐管を製造すると、貫通穴を開けた際の抜き屑が、主管部の内周面に付着してしまい、製品不良となることがある。
【０００９】
本発明の目的は、分岐管状の管状樹脂成形体を成形するにあたって、管の分岐部に生じうるバリの発生を抑制し、高品質な管状樹脂成形体が得られるような、管状樹脂成形体の製造方法を提供することにある。
【課題を解決するための手段】
【００１０】
発明者は、鋭意検討の結果、射出成形と加圧流体を組み合わせた中空管状体の成形法において、主管部が形成された後に、加圧流体の加圧を維持した状態で、分岐管内周を形成するコア型を後退させて、主管部と分岐管部の間に生じた樹脂壁を管状樹脂成形体から切り離すと、上記課題が解決できることを知見し、本発明を完成させた。
【００１１】
本発明は、中空管状部を有する管状樹脂成形体を熱可塑性樹脂の射出成形を利用して製造する方法であって、前記中空管状部は、主管部と、主管部から分岐する分岐管部とを有する分岐管状であり、前記射出成形は、一端に加圧流体を注入可能な加圧ポートを備えると共に他端に排出口を有するキャビティを有する金型を準備し、前記キャビティにより管状樹脂成形体の外面形状を規定し、溶融状態の熱可塑性樹脂を前記キャビティ内に射出して充填した後、加圧ポートから加圧流体をキャビティ内に圧入して、キャビティ内の樹脂の一部を排出口から排出して主管部を形成するものであり、さらに、前記金型は、分岐管部の内周面形状を規定するコア型を有しており、さらに、前記射出成形は、主管部が形成される際に、前記コア型の先端面に隣接して主管部と分岐管部を隔てる樹脂壁を形成するものであって、主管部が形成された後に、加圧流体の加圧を維持した状態で、前記コア型を後退させて、前記樹脂壁を管状樹脂成形体から切り離す工程を有する、管状樹脂成形体の製造方法である（第１発明）。
【００１２】
第１発明において、好ましくは、熱可塑性樹脂の射出に先立って、フローティングコアを加圧ポートに備えさせ、加圧流体の圧入によりフローティングコアを排出口側に移動させ、フローティングコアの移動により主管部を形成する（第２発明）。また、第１発明もしくは第２発明において、好ましくは、キャビティ内に樹脂が射出される際に、前記コア型の先端面が、前記主管部の外周面と、主管部の半径方向にほぼ同じ位置に配置される（第３発明）。また、第１発明ないし第３発明のいずれかにおいて、好ましくは、前記コア型は、さらに、前記コア型の外周に配置された筒状のスリーブを有しており、キャビティ内に樹脂が射出される際に、前記スリーブの先端部が、前記主管部の外周面よりも、主管部の半径方向内側に突出するように配置される（第４発明）。また、第４発明において、好ましくは、前記スリーブの先端部は、スリーブの内周側が、スリーブの外周側に比べ、主管部の半径方向内側により突出するよう、テーパ面とされている（第５発明）。また、第４発明において、好ましくは、前記スリーブの先端部が前記主管部の外周面よりも、主管部の半径方向内側に突出した状態を維持しながら、前記コア型を後退させて樹脂壁を管状樹脂成形体から切り離す（第６発明）。
【発明の効果】
【００１３】
本発明の管状樹脂成形体の製造方法（第１発明）によれば、主管部と分岐管部が合流する箇所にバリが生じにくく、管状樹脂成形体の品質が高められる。さらに、第２発明のようにすると、主管部の管壁の肉厚が安定しやすくなり、より、管状樹脂成形体の品質が高められる。また、さらに、第３発明ないし第５発明のようにすれば、バリの発生がより抑制されると共に、抜き屑の除去がより確実なものとなり、管状樹脂成形体の品質がより高められる。
【図面の簡単な説明】
【００１４】
【図１】本発明の製造方法により製造される管状樹脂成形体の形状を示す一部断面図である。
【図２】本発明の製造方法に使用される射出成型金型の構成の例を示す模式図である。
【図３】本発明の製造方法の工程の一部を示す模式図である。
【図４】本発明の製造方法の工程の一部を示す模式図である。
【図５】本発明の製造方法の工程の一部を示す模式図である。
【図６】本発明の製造方法の工程の一部を示す模式図である。
【図７】本発明の製造方法の過程において、金型から取り出された樹脂成形体の形状を示す断面図である。
【図８】本発明の製造方法に使用される射出成型金型の他の構成例を示す模式図である。
【発明を実施するための形態】
【００１５】
以下図面を参照しながら、液体の移送用配管に使用される管状樹脂成形体を例として、発明の実施形態について説明する。発明は以下に示す個別の実施形態に限定されるものではなく、その形態を変更して実施することもできる。
【００１６】
図１は、後述する製造方法により製造される管状樹脂成形体１の形状を示す図であり、図中では、管の中心線に対し上側及び右側となる部分を断面で示し、他の部分を外観で示している。管状樹脂成形体１は、中空管となるように成形された中空管状部を有する。中空管状部は、主管部１１と、主管部１１から分岐する分岐管部１２とを有する分岐管状である。すなわち、分岐管部１２は主管部１１の途中から分岐しており、両者は互いに連通している。主管部１１は、直管状であってもよいし、曲がり管状であってもよい。分岐管部１２は直管状であることが好ましいが、後述するコア型の脱型が可能であれば、曲がり管状であってもよい。後述する製造方法によれば、主管部１１が、曲がり管状、特に通常のコア型の脱型が難しいような曲がり管形状であっても、分岐管状の中空管状部が形成できる。
【００１７】
管状樹脂成形体１は、ゲート痕１５を有する。ゲート痕とは、管状樹脂成形体１が射出成形される際に、金型のキャビティに対し樹脂を射出した注入口（ゲート）の痕跡である。本実施形態においてはゲート痕１５は、主管部１１の外周面に設けられている。
【００１８】
管状樹脂成形体１は、主管部１１と分岐管部１２に加え、他の部分を備えていてもよい。例えば、管状樹脂成形体１に、主管部１１や分岐管部１２の端部付近に、フランジ１６を備えさせて、管の取り付け性やシール性を高めることができる。同様に、主管部１１や分岐管部１２の端部付近に、シール溝や、突条等を設けてもよい。また、管状樹脂成形体１には、取付や接続のためのステーや固定部、ボスなどを一体成形してもよい。
【００１９】
管状樹脂成形体１を構成する樹脂材料は、射出成形が可能な種々の熱可塑性樹脂が使用できる。熱可塑性樹脂としては、典型的には、オレフィン系樹脂などの汎用樹脂や、ポリアミド樹脂、ポリアセタール樹脂などのエンジニアリングプラスチックの他、ポリフェニルサルファイド樹脂やポリエーテルエーテルケトン樹脂などのスーパーエンジニアリングプラスチックが使用できる。熱可塑性樹脂には、各種補強材（タルクなど）や、強化繊維が配合されていてもよい。強化繊維としては、ガラス繊維やアラミド繊維、炭素繊維などが例示される。熱可塑性樹脂には、各種充填材や添加剤、着色剤などを配合してもよい。
【００２０】
管状樹脂成形体１は、例えば、自動車の自動変速機の油圧配管や、冷却機構の水冷配管等の構成部材として使用できる。なお、管状樹脂成形体１の用途は、これに限定されず、気体や流体の移送や圧力伝達に使用される管体として使用できるほか、紛体や粒体の移送に使用される管体としても使用できる。
【００２１】
以下、上記管状樹脂成形体１の製造方法について説明する。まず射出成形を利用して、樹脂成形体５（図７）を一体成形し、樹脂成形体５から不必要な部分を切除して、管状樹脂成形体１が得られる。図７に樹脂成形体５の形状を断面図で示す。この例では、図７のＡ−Ａ及びＢ−Ｂで示した位置で主管部の両端を切断し、ゲート及びランナー（図示せず）を切除することにより、図１のような管状樹脂成形体１が得られる。
【００２２】
樹脂成形体５を射出成形する工程について概説する。樹脂成形体５の射出成形に用いられる金型は、ゲートとキャビティを有しており、ゲートを通じてキャビティ内に溶融状態の熱可塑性樹脂が射出され、その後加圧流体を圧入してキャビティ内の樹脂の一部を排出する方法、例えば、いわゆるフローティングコア法により、主管部１１が形成され、キャビティ型とコア型により分岐管部１２が形成される。そして、主管部１１が形成された後に、主管部と分岐管部を隔てる樹脂壁４５が除去される。その後、樹脂成形体５が金型から取り出される。
【００２３】
以下、図２ないし図６を参照しながら、上記フローティングコアを用いた射出成型工程の例について詳しく説明する。
【００２４】
図２は射出成形工程に用いられる金型の断面模式図である。成形品の取り出しが可能なように、金型（キャビティ型）３は、紙面と垂直な方向に開閉動作が可能に構成されている。金型３には、キャビティ３１１，３１２とゲート３５が設けられている。ゲート３５を通じてキャビティ内に溶融状態の熱可塑性樹脂を射出して充填することによって、キャビティの内周面形状が転写されて、樹脂成形体５の外面形状が規定される。金型のキャビティは、主管部を形成する主管部キャビティ３１１と、分岐管部を形成する分岐管部キャビティ３１２を有する。
【００２５】
分岐管部１２が形成される部分には、分岐管部の内周面形状を規定するコア型４１が設けられている。コア型４１は、本実施形態のように、コア型の外周に配置された筒状のスリーブ４２を有するものであってもよい。本実施形態のように、コア型４１がスリーブ４２を有する場合には、実質的には、キャビティ型の内周面と、スリーブ４２の外周面により、分岐管部キャビティ３１２が形成される。これらコア型４１やスリーブ４２は、成形品の取り出し等が可能なように、分岐管部１２の延在方向にスライド可能に構成されている。
なお、後述する実施形態に示すように、コア型４１にスリーブ４２を設けることは必須ではない。スリーブ４２を設けない場合には、キャビティ型の内周面とコア型４１の外周面が、分岐管部キャビティ３１２を規定する。
【００２６】
射出成形の際に金型を閉じた状態で、コア型４１は、コア型の先端面４１ａが、前記主管部の外周面（すなわち主管部キャビティの周壁面３１１ａ）と、主管部１１の半径方向にほぼ同じ位置に配置されることが好ましい。また、コア型４１の先端面４１ａは、前記主管部の外周面（すなわち主管部キャビティの面３１１ａ）を延長したような、ほぼ同一の面となるようにされることがより好ましい。
【００２７】
射出成形の際に金型を閉じた状態で、スリーブ４２は、スリーブの先端部４２ａが、前記主管部の外周面（すなわち主管部キャビティの周壁面３１１ａ）よりも、主管部の半径方向内側に突出するように、配置されることが好ましい。スリーブ先端部４２ａの突出形態は、筒状のスリーブの全周にわたって、主管部の半径方向内側に突出するようにされていることが好ましいが、突出が部分的であってもよい。
【００２８】
また、さらに、スリーブ４２の先端部４２ａは、スリーブの内周側が、スリーブの外周側に比べ、主管部の半径方向内側により突出するよう、テーパ面とされていることが好ましいが、スリーブの先端部４２ａが逆方向のテーパ状、即ち、スリーブの外周側が、スリーブの内周側に比べ、主管部の半径方向内側により突出するようなテーパ状にされていてもよく、スリーブの先端部４２ａが鋸刃状や階段状に形成されていてもよい。
【００２９】
金型のキャビティは、主管部キャビティ３１１の一端側に加圧流体を注入可能な加圧ポート３２を備えている。さらに、キャビティは、主管部キャビティ３１１の他端側に排出口３３を有している。そして、ゲート３５は、主管部キャビティ３１１の周壁面に設けられている。
【００３０】
加圧ポート３２は、加圧流体を圧入・排出するための加圧流体系（図示せず）に接続されている。また、加圧ポートがキャビティに連絡する部分には、フローティングコアを仮に支持する部分が設けられ、樹脂の射出に先立って、この部分にフローティングコア２が配置される。
【００３１】
フローティングコア２は、金属製であってもよく、樹脂製であってもよい。樹脂製の場合は、射出成形に供される熱可塑性樹脂と同種の樹脂であってもよいし、異なる種類の樹脂であってもよい。フローティングコア２の形状は、図示した球形の他、円筒状、円錐形状、砲弾型などの形状など、形成されるべき内周面の断面形状を有する形状である。
【００３２】
主管部キャビティ３１１の他端に設けられた排出口３３には、捨てキャビティ３４が接続されている。排出口３３と捨てキャビティ３４の間には開閉動作が可能な開閉手段３７が設けられている。
【００３３】
図３ないし図６は射出成型工程の各段階を示す図である。
まず、フローティングコア２を加圧ポート３２側に配置した状態で金型３を型閉じする。この時、開閉手段３７を閉じておく。好ましくは、コア型４１の先端面４１ａが、主管部の外周面（すなわち主管部キャビティの周壁面３１１ａ）と、主管部の半径方向にほぼ同じ位置に配置される。また、好ましくは、スリーブの先端部４２ａが、主管部の外周面（すなわち主管部キャビティの周壁面３１１ａ）よりも、主管部の半径方向内側に突出するように配置される。
【００３４】
型閉じ後、図３に示すように、ゲート３５を通じて、キャビティ３１１，３１２に溶融状態の樹脂を射出し、充填する。なお、この段階における樹脂の充填は、金型のキャビティ全体に対し完全に樹脂を充填する必要はない。後述する加圧流体の圧入によりキャビティ全体への樹脂の充填が完全なものとなるのであれば、この段階における樹脂の充填は、キャビティの一部に樹脂が行き渡らないような不完全な充填であってもよい。
【００３５】
ゲート３５からの樹脂の射出が終了した後、引き続き、排出口３３に設けられた開閉手段３７を開放すると共に、加圧ポート３２から加圧流体を主管部キャビティ３１１内に圧入する。加圧流体は、窒素ガスや炭酸ガス、空気などの気体であってもよく、グリセリンや流動パラフィン、水などの液体であってもよい。加圧流体は、射出された樹脂と反応または相溶しない流体であることが好ましく、例えば窒素ガスのような不活性ガスが特に好ましい。加圧流体の圧入は公知の加圧流体系により行えばよい。
【００３６】
加圧流体が圧入されると、図４に示すように、フローティングコア２は加圧流体に押されてキャビティ内の樹脂中を移動していく。この時、フローティングコア２は、冷却固化が始まった主管部キャビティ３１１の外周寄りの樹脂を残し、冷却が遅れる中心部の溶融樹脂を排出口３３から捨てキャビティ３４へ押し出しながら、排出口３３側へと前進する。そして、フローティングコア２が通過した後には、フローティングコア２の径にほぼ等しい内径を有する主管部１１が形成されることになる。また、主管部１１の管壁となる部分の樹脂は、圧入された加圧流体の圧力により、主管部キャビティの内周面に押し付けられて、管の形状が維持された状態で冷却されて、主管部が形成されていく。また、分岐管部キャビティ３１２に充填された樹脂は、キャビティ型の内周面や、スリーブ（もしくはコア型）の外周面に接する部分から冷却され、固化して、分岐管部１２が形成される。
【００３７】
更に加圧流体の圧入を進めると、図５に示されるように、フローティングコア２が排出口３３の位置まで至り、主管部１１の全体が形成される。この状態で形成された主管部１１の内部に加圧流体圧を加えたまま保持することで、樹脂と主管部キャビティ３１１の周壁面とを十分に圧接させることができ、成形体の主管部１１の外面形状が正確に形成され、好ましい。
なお、主管部１１が形成された状態で、分岐管部のコア型４１の先端部４１ａに隣接して、主管部１１と分岐管部１２とを隔てる樹脂壁４５が形成される。この樹脂壁４５により、主管部の内部空間と分岐管部の内部空間とは、未だ連通していない状態にある。
【００３８】
本実施形態では、フローティングコア２が排出口３３の手前側で停止するように構成しているが、排出口の径を大きくして、フローティングコア２が排出口３３を超えて捨てキャビティ３４まで到達するようにしてもよい。
【００３９】
主管部１１と樹脂壁４５が形成された後に、引き続き、加圧流体の加圧を維持した状態で、図６に示すように、コア型４１を後退させて、樹脂壁４５を樹脂成形体（５）から切り離す。加圧流体の加圧とコア型４１の後退の組み合わせにより、樹脂壁４５の周縁部がせん断変形して破断し、樹脂壁４５がコア型４１に引っ張られるように樹脂成形体（５）から切り離される。樹脂壁４５が切り離されたら、適宜、加圧流体の加圧を解除してもよい。
【００４０】
好ましくは、コア型４１を後退させ、樹脂壁４５を切り離す工程において、スリーブ４２の先端部４２ａが主管部の外周面よりも、主管部の半径方向内側に突出した状態を維持した状態で、コア型４１を後退させる。スリーブを設ける場合には、このように、スリーブ４２とコア型４１とが別々の進退動作を行えるように金型を構成することが好ましい。
【００４１】
また、樹脂壁４５がコア型４１と一体になって切り離されるように、コア型４１の先端部には、穴を設けたり、アンダーカット形状や凹凸や溝等を設けたりして、コア型４１の先端部４１ａに樹脂壁４５が保持されやすくすることが好ましい。
【００４２】
また、コア型４１の後退は、フローティングコア法における加圧流体の圧入後の加圧保持時間の最終段階において行うことが、成形の効率性と確実性を高めるうえで好ましい。
【００４３】
コア型４１を後退させて、樹脂壁４５を切り離した後に、金型３のキャビティ内の樹脂が十分に固化した頃合いを見計らって、必要に応じ、スリーブ４２やコア型４１を後退させつつ金型３を型開きして、成形された樹脂成形体５を取り出す。取り出された樹脂成形体５を図７に示す。
【００４４】
取り出した樹脂成形体５に対し、必要に応じて、図７のＡ−ＡやＢ−Ｂに示すように、図１の管状樹脂成形体１をするのに不必要な部分を切除する。また、ゲートやランナーの部分を樹脂成形体５から切り離す。これにより、管状樹脂成形体１が得られる。なお、樹脂成形体５から管状樹脂成形体１を得る際に、必要に応じ、切削加工による穴あけや、他の部材の組みつけなどを行ってもよい。
【００４５】
以下、上記管状樹脂成形体１および上記製造方法の作用と効果を説明する。
上記製造方法により管状樹脂成形体１を製造すると、主管部１１と分岐管部１２を隔てるように形成される樹脂壁４５を、加圧流体による圧力とコア型４１の後退によって、効率的に切り離すことができる。このように樹脂壁４５を切り離すと、樹脂壁周辺の主管部や樹脂壁４５を、それらが射出成形と加圧流体の圧入を組み合わせた方法（特にフローティングコア法）で成形された形状を維持したままで切り離すことができ、成形体の形状が正確になって品質が高められる。かつ、樹脂壁４５が分岐管部側に切り離されるため、樹脂壁４５を切り離した部分にバリが生じにくい。
【００４６】
また、仮に、樹脂壁４５を切り離した部分にバリが生じうるとしても、樹脂壁４５が分岐管部側に切り離されるため、バリが主管部１１の内部に飛び出して形成されることがなく、管状樹脂成形体の品質が高められる。
【００４７】
さらに、キャビティ内に樹脂が射出される際に、コア型４１の先端面４１ａが、前記主管部の外周面と、主管部の半径方向にほぼ同じ位置に配置されるようにした場合には、射出成形と加圧流体の圧入を組み合わせた方法（特にフローティングコア法）による主管部の形成がより正確で確実なものとなり、管状樹脂成形体の品質が高められる。すなわち、両者が主管部の半径方向にほぼ同じ位置に配置されることにより、主管部キャビティ３１１に射出・充填された樹脂の冷却や固化の速さが、分岐部とその他の部分の間でより均一なものとなり、射出成形と加圧流体の圧入を組み合わせた方法（特にフローティングコア法）により形成される主管部の肉厚が安定しやすくなって、管状樹脂成形体の品質が高められる。
【００４８】
また、コア型４１が、さらに、コア型の外周に配置された筒状のスリーブ４２を有しており、キャビティ内に樹脂が射出される際に、スリーブ４２の先端部４２ａが、主管部の外周面よりも、主管部の半径方向内側に突出するように配置されるようにした場合には、形成される主管部１１と樹脂壁４５に対し、スリーブ４２の先端部４２ａが厚み方向に食い込んだ状態で、主管部１１が形成される。そのため、コア型４１を後退させ、樹脂壁４５を切り離す工程において、せん断変形させて切り離すべき部分を薄肉にすることができる。そのため、樹脂壁４５の切り離しがより確実になると共に、バリの発生も抑制される。また、スリーブ４２がコア型４１の外周に配置されることにより、切り離された樹脂壁４５は、樹脂成形体５（分岐管部１２）の内周に接触することなく、スリーブ４２の内側に回収される。これにより、樹脂成形体５や管状樹脂成形体１の内部に樹脂壁４５が残ってしまうことが予防され、管状樹脂成形体の品質がより高められる。
【００４９】
また、スリーブ４２の先端部４２ａの形状が、スリーブの内周側がスリーブの外周側に比べ、主管部の半径方向内側により突出するようなテーパ面にされていると、バリの発生の抑制と、樹脂壁４５のスリーブ４２内への回収がより確実になって、好ましい。このような先端部形状となっていると、スリーブ４２の先端部で切り離された樹脂壁４５が、その周縁部を変形させなくてもコア型４１と共にスリーブの内部に引き込まれるようになるからである。また、スリーブ先端部４２ａの形状がこの様であると、スリーブ４２の内周面に沿った面で樹脂壁４５が切り離されることになるため、バリもより生じにくくなる。
【００５０】
また、スリーブ４２を設けるのであれば、コア型４１を後退させて樹脂壁４５を樹脂成形体から切り離す際に、スリーブ４２の先端部４２ａが主管部の外周面よりも、主管部の半径方向内側に突出した状態を維持するようにすれば、切り離し部分の変形が抑制されて、バリの発生がより抑制され、樹脂壁４５のスリーブ４２内への回収がより確実になって、管状樹脂成形体の品質がより高められる。
【００５１】
発明は、上記実施形態に限定されるものではなく、種々の改変をして実施することができる。以下に発明の他の実施形態や変形例について説明するが、以下の説明においては、上記実施形態と異なる部分を中心に説明し、同様である部分についてはその詳細な説明を省略する。また、これら実施形態は、その一部を互いに組み合わせて、あるいは、その一部を置き換えて実施できる。
【００５２】
スリーブ４２とコア型４１の進退の相互のタイミング等は、変更することができる。上記実施形態では、樹脂壁４５の切り離し時に、スリーブ４２は動かさずにコア型４１のみを後退させる形態について説明したが、切り離し時に、スリーブ４２とコア型４１を同時に後退させてもよく、スリーブ４２を主管部の半径方向内側に向けて前進させながら、コア型４１を後退させるようにしてもよい。
【００５３】
また、上記実施形態の説明では、コア型がスリーブ４２を備える実施形態について説明したが、スリーブは必須ではない。例えば、図８に示すような金型で、同様に分岐管状の中空管状部を有する管状樹脂成形体を製造することもできる。
【００５４】
図８に示す金型においては、スリーブを有しないコア型６１の外周面により分岐管部の内周面が規定される。このような金型を用いても、第１実施形態と同様に、主管部をフローティングコア法により成形した後に、加圧流体の加圧を維持した状態で、コア型６１を後退させて、主管部（１）と分岐管部（１２）とを隔てる樹脂壁（４５）を切り離して、主管部と分岐管部が連通した樹脂成形体を製造でき、バリの発生を抑制して、管状樹脂成形体の品質を高めることができる。
【００５５】
またこの金型においては、コア型６１の先端面６１ａの外周部６１ｂが、主管部の半径方向内側に向かってリング状に突出形成されている。この突出形成された部分は、第１実施形態の金型のスリーブ４２の先端部４２ａと同様に、樹脂壁（４５）が切り離される箇所の肉厚を薄くして、バリの発生をより抑制する働きをするので、このような突出形成された部分を設けることが好ましい。また、このような突出形成された部分を設ける場合には、本実施形態のように、突出部６１ｂが、コア型６１の先端面の最外周部で最も突出しており、コア型先端面の内周方向に向かうにしたがって、突出量が減少するようなテーパ状、もしくは階段状に形成されることが好ましい。このような突出形状であれば、主管部と分岐管部とを、互いの内周面に段差なく接続できる。
【００５６】
また、上記実施形態の説明においては、フローティングコア２を用いて、加圧流体の圧入によりフローティングコア２を移動させて、主管部１１を形成する、いわゆるフローティングコア法を応用した製造方法について説明したが、発明は、フローティングコア法に限定されない。すなわち、射出成形を利用した主管部の形成が、一端に加圧流体を注入可能な加圧ポートを備えると共に他端に排出口を有するキャビティを有する金型を準備し、前記キャビティにより管状樹脂成形体の外面形状を規定し、溶融状態の熱可塑性樹脂を前記キャビティ内に射出して充填した後、加圧ポートから加圧流体をキャビティ内に圧入して、キャビティ内の樹脂の一部を排出口から排出して主管部を形成するものであれば、同様に実施可能である。すなわち、本発明体の実施形態として、主管部１１の形成を、いわゆるＧＩＴ法やＷＩＴ法によって行い、その後、主管部と分岐管部を隔てる樹脂壁を、加圧流体の加圧とコア型の後退により除去するようにしてもよく、同様の効果が得られる。
【００５７】
なお、フローティングコアを用いるようにすれば、主管部１１の肉厚がより正確なものとなると共に、樹脂壁４５の切り離しもより確実に高い品質で行うことができて、より好ましい。
【００５８】
また、上記実施形態の説明では、排出口３３と開閉機構３７と捨てキャビティ３４が順次並んだ形態の金型の例を示したが、排出口や捨てキャビティの具体的形状は特に限定されず、例えば、両者が樹脂の流れ方向と垂直な断面で同じ断面形状を有するような形態であってもよい。また、開閉機構３７は一連の射出工程や加圧流体の圧入工程が実行可能であれば、省略することもできる。
【産業上の利用可能性】
【００５９】
上記製造方法によれば、品質に優れる管状樹脂成形体を効率的に製造できて、産業上の利用価値が高い。
【符号の説明】
【００６０】
１      管状樹脂成形体
１１        主管部
１２        分岐管部
１５        ゲート痕
１６        フランジ
２      フローティングコア
３      射出成型金型
３１１        主管部キャビティ
３１２        分岐管部キャビティ
３２        加圧ポート
３３        排出口
３４        捨てキャビティ
３５        ゲート
３７        開閉手段
４１        コア型
４２        スリーブ
４５    樹脂壁
５      樹脂成形体
６１        コア型
【図１】
2018062061.tif 000003
【図２】
2018062061.tif 000004
【図３】
2018062061.tif 000005
【図４】
2018062061.tif 000006
【図５】
2018062061.tif 000007
【図６】
2018062061.tif 000008
【図７】
2018062061.tif 000009
【図８】
2018062061.tif 000010